(57)【要約】【課題】内視鏡装置の複数の機能を示すインデックス表示から所定のものを選択した際、インデックス表示に対応するグラフィック画像を表示する。【解決手段】内視鏡と、この内視鏡に対する信号処理を行う画像ファイル装置と、を備え、前記画像ファイル装置の複数の機能を表示するインデックス表示部と、前記インデックス表示部に表示された複数の機能に対応するグラフィックが表示されるグラフィック表示部と、を具備する。【選択図】図４
2004121855.tif 000002
【特許請求の範囲】
【請求項１】
　内視鏡と、
　この内視鏡に対する信号処理を行う画像ファイル装置と、
　を備え、
　前記画像ファイル装置の複数の機能を表示するインデックス表示部と、
　前記インデックス表示部に表示された複数の機能に対応するグラフィックが表示されるグラフィック表示部と、
　を具備したことを特徴とする内視鏡装置。
【請求項２】
　前記インデックス表示部は、前記画像ファイル装置の全機能を一括して表示可能であることを特徴とする請求項１に記載の内視鏡装置。　
【発明の詳細な説明】
【技術分野】
【０００１】
　本発明は、内視鏡等により撮影した画像を記録媒体に蓄積すると共に、蓄積された画像を必要に応じて読み出して観察を行う画像ファイル装置を有する内視鏡装置に関する。
【背景技術】
【０００２】
　多数の画像を記録媒体に蓄積しておき、蓄積された画像を必要に応じて読み出して観察できるようにした画像ファイル装置は、例えば内視鏡装置などにおいて検査、診断用に撮影した画像を記録するために用いられている。
【０００３】
　このような画像ファイル装置としては、特開平４−８１１８８号公報とか特開平４−３０９１８４号公報等において開示されている。
【０００４】
　従来、このような画像ファイル装置は、例えば電子内視鏡と画像ファイル装置とを組み合わせた構成の場合、内視鏡により撮影し記録した画像データは内視鏡が接続されている画像ファイル装置と同一の構成を持つ画像ファイル装置でのみ読み出して観察できるようになっていた。しかし、画像ファイル装置のモデルチェンジ等により異なる構成を持つ画像ファイル装置が出現しており、また、汎用のパーソナルコンピュータでも画像データを共有したいという要求もでてきている。これらの装置はそれぞれ異なるハードウェア構成をしており、各装置で扱うことのできる画像データのフォーマットは一般に装置のハードウェア構成によって制限を受けるため、さまざまな画像フォーマットが並存するような状況となっている。
【０００５】
　このような状況に対応するため、異なる構成の装置間においても画像データを再生して観察できるようにすることが望まれている。画像データが格納されている画像ファイル装置と異なる構成の画像ファイル装置及び汎用のパーソナルコンピュータとの間で画像データを共有可能にするためには、画像フォーマットを変換する必要が生じる。
【０００６】
　また、特開平７−１４３４７５号公報には、画像データを表示解像度、表色系等が異なる複数のクライアントで共用することが可能なシステムが開示されている。
【発明の開示】
【発明が解決しようとする課題】
【０００７】
　しかしながら、前記特開平４−８１１８８号公報の装置では、画像ファイル装置に供給される画像データのフォーマットが対応可能なフォーマットと異なる場合には、記録媒体から画像データを読み出してＴＶモニタ等に表示しようとしても正常な画像として表示することができない。異なるフォーマットの画像を観察するためには、同一画像フォーマットの画像ファイル装置を購入するか、画像の記録を行う観察場所まで装置を移動させることが必要であり、コストも手間もかかってしまう問題点がある。
【０００８】
　また、特開平４−３０９１８４号公報の装置では、画像データ変換が可能となっているが、ここでの画像データ変換は、圧縮された画像データを伸張する、または圧縮された画像データに何の処理も行わないこと及び圧縮されたデータを伸張し再度別の圧縮方式で画像データを圧縮する、という圧縮、伸張のみであり、画像データ中の１ピクセル（画素）を構成する輝度信号及び色差信号のピクセル内での配置が異なる場合には有効でない。よって、この構成ではピクセル内での輝度信号及び色差信号の配置が異なるフォーマットへの変換等の画像データ変換を行うことができないため、装置構成によっては対応可能な画像フォーマットに変換できずに観察できない場合が生じる。
【０００９】
　本発明は、これらの事情に鑑みてなされたもので、全機能の選択をメニューのスクロール等を行わずに簡便に行うとともに、機能名をインデックス表示しても機能の特徴を理解しやすく、所望の機能を容易に選択できる画像ファイル装置を有する内視鏡装置を提供することを目的としている。
【課題を解決するための手段】
【００１０】
　本発明は、内視鏡と、この内視鏡に対する信号処理を行う画像ファイル装置と、を備え、前記画像ファイル装置の複数の機能を表示するインデックス表示部と、前記インデックス表示部に表示された複数の機能に対応するグラフィックが表示されるグラフィック表示部と、を具備したことを特徴とする。
【発明の効果】
【００１１】
　本発明によれば、メインメニュー画面において全機能を表示することにより、全機能の選択をメニューのスクロール等を行わずに簡便に行うことが可能となる。また、現在選択している機能の特徴がグラフィック表示されるので、機能名をインデックス表示しても機能の特徴を理解しやすく、所望の機能を容易に選択できる。
【発明を実施するための最良の形態】
【００１２】
　以下、図面を参照して本発明の実施例を説明する。  
　図１及び図２は本発明の一実施例に係り、図１は画像ファイル装置を含む内視鏡装置の外観構成を示す斜視図、図２は画像ファイル装置の内部構成を示すブロック図である。
【００１３】
　本実施例では、画像ファイル装置の一例として内視鏡装置に用いられる画像ファイル装置の構成例を説明する。
【００１４】
　図１に示すように、内視鏡装置１は、電子内視鏡２と、電子内視鏡２に対する信号処理、画像表示、画像ファイリング等の機能を備えた画像ファイル装置４と、を有して構成されている。
【００１５】
　画像ファイル装置４は、接続された電子内視鏡２に照明光を供給する光源部３と、電子内視鏡２の出力信号などの信号処理を行うカメラコントロールユニット（以下ＣＣＵと略記する）５と、ＣＣＵ５で信号処理された映像信号を入力し画像を表示するＬＣＤモニタ（液晶モニタ）６と、ＣＣＵ５で信号処理された画像データ等を記録するハードディスク（ＨＤ）７及びフロッピーディスクドライブ（ＦＤ）８と、操作指示入力を行うキーボード９と、を備えている。
【００１６】
　画像ファイル装置４の内部の詳細構成を図２に示す。画像ファイル装置４には、各部の制御を行うＣＰＵ１０が設けられ、このＣＰＵ１０と共に、ＲＯＭ１１、ＲＡＭ１２、第１のＲＳ−２３２Ｃインターフェース（図においてインターフェースをＩ／Ｆと略記する）１３、第２のＲＳ−２３２Ｃインターフェース１４、キーボードインターフェース１５、ハードディスクインターフェース１６、ビデオ信号処理部１７、グラフィック信号処理部１８、ＳＣＳＩインターフェース１９、ＰＣカードインターフェース２０、がシステムバス２１を介して相互に接続されている。
【００１７】
　また、画像ファイル装置４内には、第２のＲＳ−２３２Ｃインターフェース１４を介してＣＰＵ１０からの制御信号を受信する制御信号受信部２２と、制御信号受信部２２で受信した制御信号を基に光源部３、ＣＣＵ５、及び接続されたＴＶカメラ２４の制御を行うシステム制御部２３と、ビデオ信号処理部１７の出力のビデオ信号をテレビジョン信号に変換するスキャンコンバータ２６と、が設けられている。
【００１８】
　次に、このように構成された画像ファイル装置４の動作を説明する。
【００１９】
　内視鏡装置１の使用時には、図１に示すように、検査に使用する電子内視鏡２のライトガイドを画像ファイル装置４の光源部３に接続すると共に、電子内視鏡２の信号ケーブル端部の信号用コネクタ２５をＣＣＵ５に接続する。これにより、光源部３から電子内視鏡２のライトガイドへ照明光が供給され、この照明光はライトガイドを介して電子内視鏡２の先端部より出射されて被検部位が照明される。被検部位の像は、電子内視鏡２の撮像素子で撮像され、画像信号がＣＣＵ５へ送られる。
【００２０】
　ＣＣＵ５では、電子内視鏡２からの画像信号をＬＣＤモニタ６で観察可能な映像信号に変換する。画像観察時には、電子内視鏡２で撮像された被検部位の画像が画像ファイル装置４のＬＣＤモニタ６に映し出される。使用者はこのＬＣＤモニタ６により画像を観察することができる。
【００２１】
　ここで、画像ファイル装置４の内部動作を説明する。画像ファイル装置４の電源が投入されると、ＣＰＵ１０によりＲＯＭ１１に記憶されたソフトウエアプログラムがシステムバス２１を介して読み出され、ＲＡＭ１２に格納される。ＣＰＵ１０は前記ソフトウエアプログラムに基づいて動作し、システムバス２１に接続された各インターフェース等を制御することができる。
【００２２】
　また、システムバス２１にはハードディスクインターフェース１６を介してハードディスク７が接続されており、ＲＯＭ１１に入りきらない他のソフトウエアプログラムや画像データなどを格納することができる。
【００２３】
　使用者の操作に基づいて出力されるキーボード９からのキー信号は、キーボードインターフェース１５を介してシステムバス２１に送られ、キーの状態がＣＰＵ１０に読み込まれる。
【００２４】
　第２のＲＳ−２３２Ｃインターフェース１４は、ＣＰＵ１０からの制御によりＲＳ−２３２Ｃの規格に基づくデータ通信（以下ＲＳ−２３２Ｃ通信と称する）により、制御信号受信部２２に制御用データを送信する。
【００２５】
　制御信号受信部２２は、第２のＲＳ−２３２Ｃインターフェース１４から送信されたデータがＣＣＵ５に対する制御用データである場合には、ＣＣＵ５にＣＣＵ制御信号を出力する。また、第２のＲＳ−２３２Ｃインターフェース１４から送信されたデータが光源制御用データあるいは入力チャンネル切り替えデータである場合には、システム制御部２３にシステム制御信号を出力する。
【００２６】
　ＣＣＵ５は、前記ＣＣＵ制御信号を受信すると、ＣＣＵ制御信号に基づいて電子内視鏡２の先端に設けられた撮像素子の露光時間制御や、ＡＧＣ（オートゲインコントロール）、ホワイトバランス調整（ＷＢ）、プリズムを用いた内視鏡の場合に生じる裏像を正しい画像に変換するサイドビュー（Ｓ．ＶＩＥＷ）等の設定を行う。
【００２７】
　システム制御部２３は、受信したシステム制御信号が光源制御用データであった場合、光源部３に対し自動調光／手動調光の切り替え、光源絞りの制御による光量調整等の光源部３の制御を行う。
【００２８】
　システム制御部２３には、ＣＣＵ５で信号処理されて標準的な映像信号に変換された電子内視鏡２からの映像信号と、ＴＶカメラ２３からの映像信号とが入力されるようになっている。システム制御部２３は、受信したシステム制御信号が入力チャンネル切り替えデータであった場合、前記二つの映像信号の一方を選択してビデオ信号処理部１７に出力する入力切替え制御を行う。
【００２９】
　ビデオ信号処理部１７は、システムバス２１を介して送られてくるＣＰＵ１０からの指示に基づき、システム制御部２３より入力された映像信号か、または記録媒体に記録されている画像データを読み出した映像信号のいずれかをデジタル信号に変換して内部の図示しないビデオフレームバッファに一時記憶し、ビデオフレームバッファからの出力をアナログ変換してＲＧＢ信号とする。
【００３０】
　ビデオ信号処理部１７にはグラフィック信号処理部１８が接続されており、グラフィック信号処理部１８は、システムバス２１を介して送られてくるＣＰＵ１０からの指示に基づき、文字、アイコンなどのグラフィック信号を発生してビデオ信号処理部１７へ出力する。
【００３１】
　ビデオ信号処理部１７は、内部の図示しないスーパーインポーズ回路において、前記ＲＧＢ信号に前記グラフィック信号をスーパーインポーズ（重畳）し、ＣＰＵ１０からの情報を重ねた内視鏡画像信号として出力する。
【００３２】
　ビデオ信号処理部１７から出力される内視鏡画像信号は、外部信号出力コネクタ２７から外部出力されると共に、スキャンコンバータ２６に供給される。スキャンコンバータ２６は、ビデオ信号処理部１７からの出力信号をテレビジョン信号に変換する。このスキャンコンバータ２６の出力のテレビジョン信号は、ＬＣＤモニタ６に供給されて画像表示されると共に、外部ビデオ出力コネクタ２８から外部出力される。
【００３３】
　また、システムバス２１に接続された第１のＲＳ−２３２Ｃインターフェース１３により、外部の通信機器とデータ通信が可能となっている。
【００３４】
　また、システムバス２１に接続されたフロッピーディスクドライブ８により、画像データなどのデータをフロッピーディスクに記録したり読み出すことが可能である。
【００３５】
　また、システムバス２１に接続されたＳＣＳＩインターフェース１９には、ＭＯドライブ（光磁気ディスク装置）や外部ハードディスク装置等の記録媒体となるＳＣＳＩ機器を接続することができる。これらの記録媒体に画像データなどのデータを記録したり読み出すことが可能となっている。
【００３６】
　また、システムバス２１に接続されたＰＣカードインターフェース２０には、各種ＰＣカードを装着することができる。ＰＣカードは、ＰＣＭＣＩＡ規格に準拠したカードであり、データの記録、読み出しが可能なメモリカード、電話回線を使用してデータ通信が可能なＦＡＸモデムカード、ＭＯドライブ等のＳＣＳＩ機器が接続可能なＳＣＳＩカード等がある。これらのＰＣカードを装着することにより、データ入出力機能を拡張することができる。
【００３７】
　次に、画像ファイル装置４における各種機能について説明する。画像ファイル装置４の電源が投入されると、前述のようにＣＰＵ１０がソフトウエアプログラムに基づいて動作開始し、ＬＣＤモニタ６にメインメニュー画面が表示される。使用者は画像ファイル装置４に接続されたキーボード９のキーを押すことにより、メインメニュー画面の各種機能を操作することができる。
【００３８】
　図３に本実施例の画像ファイル装置４においてソフトウエアプログラムにより実行される各種機能を示す。メインメニューからは、ＴＲＭ（ターミナル），ＶＣＮ（ビデオコントロール），ＳＴＲ（ストア），ＴＸＴ（テキスト），ＥＮＨ（エンハンス），ＭＥＳ（メジャー），ＳＵＰ（セットアップ），ＨＬＰ（ヘルプ），ＲＴＲ（リトリーブ），ＣＭＰ（コンペア），ＣＰＹ（コピー），ＴＣＭ（テレコミュニケーション），ＤＥＬ（デリート／フォーマット），ＥＸＴ（エクスターナル）の各機能を選択できるようになっている。
【００３９】
　図４にメインメニュー画面の表示を示す。ＬＣＤモニタ６に表示されるメインメニュー画面３０には、観察画像領域３１の側部に、画像ファイル装置４の全機能を示すインデックス表示３２が設けられている。これらのインデックス表示３２は、図３に示した各機能名の英文スペルの略語でそれぞれ表示されている。キーボード９からのキー入力により、各機能のインデックス表示３２上をカーソル３３が移動し、使用者が所望の機能のインデックス表示３２上にカーソル３３を位置させて実行キーを入力することにより、該当する機能が実行される。
【００４０】
　また、メインメニュー画面３０には、インデックス表示３２の下部にグラフィック表示部３４が設けられており、このグラフィック表示部３４において、カーソル３３が位置しているインデックス表示３２に対応する機能の特徴を表すグラフィックが表示されるようになっている。図４では、カーソル３３によりＳＴＲが選択され、ＳＴＲ（ストア）機能のグラフィックが表示されている。
【００４１】
　このようにメインメニュー画面において全機能を表示することにより、全機能の選択をメニューのスクロール等を行わずに簡便に行うことが可能となる。また、現在選択している機能の特徴がグラフィック表示されるので、機能名をインデックス表示しても機能の特徴を理解しやすく、所望の機能を容易に選択できる。
【００４２】
　前記メインメニュー画面より選択可能な各機能の動作を順に説明する。
【００４３】
　ＴＲＭ（ターミナル）を選択すると、第１のＲＳ−２３２Ｃインターフェース１３に接続した外部の通信機器によりデータ通信を行い、外部の通信機器に対してデータを送信したり、外部の通信機器から送信されたデータを受信したりすることができる。
【００４４】
　ＶＣＮ（ビデオコントロール）を選択すると、現在画像ファイル装置４に入力されている映像信号がＬＣＤモニタ６の観察画像領域３１に表示され、電子内視鏡２またはＴＶカメラ２４の画像を観察することができる。この状態でキーボード９の実行キーを押すことにより現在観察中の画像がフリーズされ、静止画を観察できる。またこのとき、上述したＣＣＵ５及び光源部３の制御がなされる。
【００４５】
　ＳＴＲ（ストア）を選択すると、現在ＬＣＤモニタ６に表示中の画像をハードディスク７に画像データとして記録することができる。この場合、フリーズされていない画像であってもＳＴＲ指令が出された時点で静止画にしてその画像を記録する。
【００４６】
　ＴＸＴ（テキスト）を選択すると、図５に示すようなテキスト入力画面３５がＬＣＤモニタ６に表示される。テキスト入力画面３５には、画像データに対してカテゴリー、グループ、タイトルを設定するための［ＳＥＴ　ＣＡＴＥＧＯＲＹ／ＧＲＯＵＰ／ＴＩＴＬＥ］、画面中の任意の位置に文字データをスーパーインポーズするための［ＥＤＩＴ　ＴＥＸＴ］、画面中の任意の位置に矢印マークをスーパーインポーズするための［ＳＥＴ　ＰＯＩＮＴＥＲ］、の各機能表示が設けられている。このテキスト入力画面３５において、キーボード９の矢印キーでカーソルを移動して所望の機能を選択し、実行キーを押すことにより、それぞれの機能を実行できる。
【００４７】
　ＥＮＨ（エンハンス）を選択すると、コントラスト強調、エッジ強調、または画像の特定部位のズーム処理を行うことができる。なお、この処理結果の画像をハードディスク７等に記録することもできる。また、処理が加えられていないオリジナル画像に戻すことも可能である。
【００４８】
　ＭＥＳ（メジャー）を選択すると、観察対象の大きさを測定するソフトウエアが動作して、内視鏡による観察画像から測長を行うことができる。
【００４９】
　ＳＵＰ（セットアップ）を選択すると、図６に示すようなセットアップ画面３６がＬＣＤモニタ６に表示される。セットアップ画面３６には、使用する電子内視鏡２の名前やＭＥＳ機能において使用する計測用パラメータ等の設定，上述した入力チャンネルの切り替え，日付表示・非表示の設定及び日、月、年を表示する際の順番の設定，等の画像に関する設定を行うための［ＳＥＴＵＰ　ＶＩＤＥＯ］、ＴＲＭ機能で外部の通信機器とデータ通信を行う場合の第１のＲＳ−２３２Ｃインターフェース１３の通信スピード，パリティーチェックの有無等の通信条件の設定を行う［ＳＥＴＵＰ　ＣＯＭ１］、上述したグラフィック表示部３４における各機能の特徴を示すグラフィックの表示・非表示の設定を行うための［ＳＥＴ　ＭＥＮＵ　ＩＬＬＵＳＴＲＡＴＩＯＮ］、画像ファイル装置４の電源オン時にパスワードをセットするかどうかの設定，及びパスワードをセットする場合はパスワードの設定を行うための［ＳＥＴ　ＰＡＳＳＷＯＲＤ］、画像ファイル装置４において日付、時刻を設定するための［ＳＥＴ　ＤＡＴＥ／ＴＩＭＥ］、画像ファイル装置４に組み込まれているＣＣＵ５の出力映像信号がＮＴＳＣ信号かＰＡＬ信号かの設定，及びＳＴＲ機能で記録する静止画をフレーム記録するかフィールド記録するかを設定するための［ＳＥＴ　ＴＶ　ＴＹＰＥ］、の各機能表示が設けられている。
【００５０】
　このセットアップ画面３６において、キーボード９の矢印キーでカーソルを移動して所望の機能を選択し、実行キーを押すことにより、それぞれの機能を実行して画像ファイル装置４の各種設定を行うことができる。なお、使用する内視鏡や使用者毎に設定内容を変更できるよう、例えば計測単位や画像表示位置などの設定をセットアップパターンとして複数登録することも可能である。
【００５１】
　ＨＬＰ（ヘルプ）を選択すると、画像ファイル装置４の操作方法の説明がＬＣＤモニタ６に表示される。
【００５２】
　ＲＴＲ（リトリーブ）を選択すると、ハードディスク７、フロッピーディスクドライブ８、あるいはＳＣＳＩインターフェース１９及びＰＣカードインターフェース２０等を介して接続された外部記録媒体に記録された画像データを呼び出し、ＬＣＤモニタ６に表示して観察することができる。このとき、ＬＣＤモニタ６への画像表示と同時に、外部信号出力コネクタ２７及び外部ビデオ出力コネクタ２８から表示画像の信号が外部出力される。
【００５３】
　この画像データの検索は、ＴＸＴ機能でセットされたカテゴリー、グループ、タイトル、または日付等の組み合わせで検索することができる。また、検索する画像のカテゴリー、グループ、タイトル、日付、及び同一の日付での画像の連番号などの情報を画面にスーパーインポーズすることもでき、これらの情報を観察画像と同時に表示するかあるいは表示しないかを設定できる。また、１枚の画像を選択した後に、その画像から順にたとえば１２枚の画像を縮少してＬＣＤモニタ６に分割表示し、画像を検索することができる。
【００５４】
　ＣＭＰ（コンペア）を選択すると、記録媒体に記録されている画像の所望の部位を並べて表示し比較することができる。この場合には、ＲＴＲ機能と同様に画像を検索することができる。また、この画像をハードディスク７等に記録することができる。
【００５５】
　ＣＰＹ（コピー）を選択すると、画像を記録している記録媒体から別の記録媒体に画像データをコピーすることができる。この場合には、ＲＴＲ機能と同様に画像を検索することができる。
【００５６】
　ＴＣＭ（テレコミュニケーション）を選択すると、図７に示すようなデータ通信設定画面３７がＬＣＤモニタ６に表示される。データ通信設定画面３７には、送信側と受信側で同一のＡタイプ画像フォーマットを扱う画像ファイル装置間で電話回線を介して画像データの通信を行うための［ＴＯ　Ａ　ＴＹＰＥ　ＶＩＡ　ＭＯＤＥＭ］、Ａタイプ画像フォーマットを扱う画像ファイル処理装置とこのＡタイプ画像フォーマットとは異なるＢタイプ画像フォーマットを扱う装置との間で電話回線を介して画像データの通信を行うための［ＴＯ　Ｂ　ＴＹＰＥ　ＶＩＡ　ＭＯＤＥＭ］、送信側と受信側で同一のＡタイプ画像フォーマットを扱う画像ファイル装置間で直接シリアル接続して画像データの通信を行うための［ＴＯ　Ａ　ＴＹＰＥ　ＤＩＲＥＣＴ］、の各機能表示が設けられている。
【００５７】
　このデータ通信設定画面３７において、キーボード９の矢印キーでカーソルを移動して所望の機能を選択すると共に、送信（ＴＲＡＮＳＭＩＴ）するのか受信（ＲＥＣＥＩＶＥ）するのかを画面下部の表示から選択し、実行キーを押すことにより、それぞれの機能を実行でき、他の画像ファイル装置あるいは汎用のパーソナルコンピュータとの間で画像通信を行うことができる。また、受信した画像をハードディスク７等に記録することができる。
【００５８】
　ＤＥＬ（デリート／フォーマット）を選択すると、図８に示すようなコマンド実行画面３８がＬＣＤモニタ６に表示される。コマンド実行画面３８には、記録媒体に記録されている画像データを１枚あるいは複数枚選択して消去するための［ＤＥＬＥＴＥ　ＩＭＡＧＥＳ］、フロッピーディスクドライブ８に挿入されたフロッピーディスクやＳＣＳＩインターフェース１９を介して接続される光磁気ディスク等の記録媒体をフォーマットするための［ＦＯＲＭＡＴ　ＦＤ／ＭＯ］、の各機能表示が設けられている。
【００５９】
　このコマンド実行画面３８において、キーボード９の矢印キーでカーソルを移動して所望の機能を選択し、実行キーを押すことにより、それぞれの機能を実行できる。なお、画像データを消去する場合には、ＲＴＲ機能と同様に画像を検索することができる。
【００６０】
　ＥＸＴ（エクスターナル）を選択すると、図９に示すような外部プログラム実行画面３９がＬＣＤモニタ６に表示される。外部プログラム実行画面３９には、プログラム名をキーボード９から入力することによって予めハードディスク７に記憶されているプログラムを実行するための［Ｅｘｅｃｕｔｅ］、アプリケーションプログラムの実行を終了するための［Ｅｘｉｔ］、フロッピーディスクドライブ８に挿入されたフロッピーディスクに特定の名前で予め記憶されているプログラムを実行するための［Ａｃｃｅｓｓ　ｄｅｌｉｖｅｒｅｄ　ＦＤ］、の各機能表示が設けられている。この外部プログラム実行画面３９において、キーボード９の矢印キーでカーソルを移動して所望の機能を選択し、実行キーを押すことにより、それぞれの機能を実行できる。
【００６１】
　ここで、上述したＡタイプ及びＢタイプの各画像フォーマットについて図１０及び図１１を基に説明する。
【００６２】
　図１０は画像ファイル装置４において扱われるＡタイプ画像フォーマットを示したものである。Ａタイプ画像フォーマットは、Ａタイプ画像ヘッダ部５１とＡタイプイメージデータ部５２とにより一つの画像ファイルが構成されている。Ａタイプ画像ヘッダ部５１には、画像ファイルの属性が格納されている。たとえば、画像ファイルのデータ量、ヘッダ部データ長、画像データがＮＴＳＣデータかＰＡＬデータかの情報、等が記録される。
【００６３】
　Ａタイプイメージデータ部５２には、それぞれ１バイトからなる輝度信号Ｙと色差信号Ｒ−Ｙ，Ｂ−Ｙとが組み合わされて格納されている。色差信号は、１ピクセル（画素）ごとにＲ−ＹとＢ−Ｙが切り替えられる。すなわち、輝度信号Ｙに対して色差信号Ｒ−Ｙ，Ｂ−Ｙはサンプリングレートが半分になり、
　　Ｙ１１，（Ｒ−Ｙ）１ ，Ｙ１２，（Ｂ−Ｙ）１ 
のように、ＹとＲ−Ｙで１ピクセル、ＹとＢ−Ｙで１ピクセルを順に構成し、以下、
　　Ｙ２１，（Ｒ−Ｙ）２ ，Ｙ２２，（Ｂ−Ｙ）２ 
　　Ｙ３１，（Ｒ−Ｙ）３ ，Ｙ３２，（Ｂ−Ｙ）３ 
　　　　　　　　　　　・
　　　　　　　　　　　・
　　　　　　　　　　　・
のようにデータが並んでいる。
【００６４】
　図１１は画像ファイル装置４において扱われるＡタイプ画像フォーマットとは異なるフォーマットであるＢタイプ画像フォーマットを示したものである。Ｂタイプ画像フォーマットは、ヘッダ部を有しておらず、Ｂタイプイメージデータ部５３のみで一つの画像ファイルが構成されている。
【００６５】
　Ｂタイプイメージデータ部５３には、それぞれ１バイトからなる輝度信号Ｙと色差信号Ｒ−Ｙ，Ｂ−Ｙとが組み合わされて格納されている。色差信号は、１ピクセルごとにＲ−ＹとＢ−Ｙが切り替えられる。すなわち、輝度信号Ｙに対して色差信号Ｒ−Ｙ，Ｂ−Ｙはサンプリングレートが半分になり、
　　（Ｒ−Ｙ）１ ，Ｙ１１，（Ｂ−Ｙ）１ ，Ｙ１２
のように、Ｒ−ＹとＹで１ピクセル、Ｂ−ＹとＹで１ピクセルを順に構成し、以下、
　　（Ｒ−Ｙ）２ ，Ｙ２１，（Ｂ−Ｙ）２ ，Ｙ２２
　　（Ｒ−Ｙ）３ ，Ｙ３１，（Ｂ−Ｙ）３ ，Ｙ３２
　　　　　　　　　　　・
　　　　　　　　　　　・
　　　　　　　　　　　・
のようにデータが並んでいる。このＢタイプ画像フォーマットは、Ａタイプ画像フォーマットと比べて輝度信号と色差信号とのデータの並びが逆になっている。
【００６６】
　一般的に、画像ファイル装置は画像データのフォーマットが異なると正常に表示できないようになっている。画像ファイル装置で取り扱う画像フォーマットの種類によっては、画像ファイルとして読み込むためにイメージデータ部以外に画像ファイルの属性を示すヘッダ部が必要な場合がある。Ａタイプの画像フォーマットを扱う画像ファイル装置４では、Ｂタイプの画像フォーマットのデータをそのまま読み込ませても、ＣＰＵ１０は画像ファイルとして認識するためにまずＡタイプの画像フォーマットにあるはずのヘッダ部を読みに行くので、正常な画像信号として出力することができない。よって本実施例では、このような不具合を解決するために、画像フォーマットの変換を行って観察及び記録できるようにする。
【００６７】
　なお、ここで示した２つのフォーマットは画像フォーマットの一例であり、他のデータ構成であっても良い。Ａタイプ画像フォーマットと異なる他の画像フォーマットとしては、Ｂタイプ画像フォーマットに限るものでなく、ＴＧＡ等のフォーマットでも良い。また、ＪＰＥＧ等の圧縮フォーマットでも良い。これらの他の画像フォーマットを用いる場合は、予め対応可能な画像フォーマットに変換できるように後述の画像フォーマット変換手順を設定すれば良い。
【００６８】
　前記ＴＣＭ機能により画像データ通信を行う際の通信手順について以下に説明する。
【００６９】
　まず、データ通信設定画面３７において［ＴＯ　Ａ　ＴＹＰＥ　ＶＩＡ　ＭＯＤＥＭ］を選択し、送信側と受信側で同一のＡタイプ画像フォーマットを扱う装置間で電話回線を介して画像データの通信を行う場合の構成を図１２に示す。
【００７０】
　この場合、適応する画像フォーマットが同一である装置間、例えば同一種類の画像ファイル装置４の間で画像データを送信することとなる。画像ファイル装置４の第１のＲＳ−２３２Ｃインターフェース１３にそれぞれモデム４１を接続し、２つのモデム４１間で電話回線４２を介してデータ通信を行う。また、モデム４１には、ダイヤルを行うための電話機４３をそれぞれ接続する。
【００７１】
　送信側の画像ファイル装置４において、メインメニューでＴＣＭ（テレコミュニケーション）を選択し、データ通信設定画面３７で［ＴＯ　Ａ　ＴＹＰＥ　ＶＩＡ　ＭＯＤＥＭ］及び［ＴＲＡＮＳＭＩＴ］を選択した後、ハードディスク７，フロッピーディスクドライブ８，あるいはＳＣＳＩインターフェース１９及びＰＣカードインターフェース２０等を介して接続された外部記録媒体などの記録媒体に格納されている画像データ中の送信したい画像を１枚あるいは複数枚選択する。この場合には、ＲＴＲ機能と同様に画像を検索することができる。
【００７２】
　その後、送信相手の電話番号をダイヤルしてモデム４１同士を電話回線４２を介して接続し、データ通信を行う。このときのダイヤル方法としては、電話機４３から手動でダイヤルする、または画像ファイル装置４のキーボード９からのキー入力によりオートダイヤルする、のいずれかの方法を用いることができる。
【００７３】
　一方、受信側の画像ファイル装置４では、データ通信設定画面３７で［ＴＯ　Ａ　ＴＹＰＥ　ＶＩＡ　ＭＯＤＥＭ］及び［ＲＥＣＥＩＶＥ］を選択する。送信側からのダイヤルへの応答方法としては、送信側が電話機４３からダイヤルする場合に受信側も電話機４３で応答し受信操作を行う手動受信、あるいは送信側がオートダイヤルする場合に受信側を予め受信待機状態にしておきいつでも受信できるようにする自動受信、のいずれかの方法を用いることができる。
【００７４】
　そして、通信成立後、第１のＲＳ−２３２Ｃインターフェース１３，モデム４１，及び電話回線４２を介して画像データの送信を開始する。
【００７５】
　次に、データ通信設定画面３７において［ＴＯ　Ｂ　ＴＹＰＥ　ＶＩＡ　ＭＯＤＥＭ］を選択し、Ａタイプ画像フォーマットを扱う装置とこのＡタイプ画像フォーマットとは異なるＢタイプ画像フォーマットを扱う装置との間で電話回線を介して画像データの通信を行う場合の構成を図１３及び図１４に示す。
【００７６】
　この場合、図１３に示すように画像ファイル装置４とこれと異なる構成の画像ファイル装置４４との間、または図１４に示すように画像ファイル装置４と汎用パーソナルコンピュータ（ＰＣ）４６との間で画像データを送信することとなる。
【００７７】
　図１３の場合は、画像ファイル装置４の第１のＲＳ−２３２Ｃインターフェース１３と画像ファイル装置４４のＲＳ−２３２Ｃインターフェース４５にそれぞれモデム４１を接続し、２つのモデム４１間で電話回線４２を介してデータ通信を行う。また、モデム４１には、ダイヤルを行うための電話機４３をそれぞれ接続する。図１４の場合は、画像ファイル装置４の第１のＲＳ−２３２Ｃインターフェース１３と汎用パーソナルコンピュータ４６のＲＳ−２３２Ｃインターフェース４７にそれぞれモデム４１を接続し、２つのモデム４１間で電話回線４２を介してデータ通信を行う。同様に、モデム４１にはダイヤルを行うための電話機４３をそれぞれ接続する。
【００７８】
　送信側の装置（ここでは画像ファイル装置４とする）において、メインメニューでＴＣＭ（テレコミュニケーション）を選択し、データ通信設定画面３７で［ＴＯ　Ｂ　ＴＹＰＥ　ＶＩＡ　ＭＯＤＥＭ］及び［ＴＲＡＮＳＭＩＴ］を選択した後、ハードディスク７，フロッピーディスクドライブ８，あるいはＳＣＳＩインターフェース１９及びＰＣカードインターフェース２０等を介して接続された外部記録媒体などの記録媒体に格納されている画像データ中の送信したい画像を１枚あるいは複数枚選択する。この場合には、ＲＴＲ機能と同様に画像を検索することができる。
【００７９】
　その後、送信相手の電話番号をダイヤルしてモデム４１同士を電話回線４２を介して接続し、データ通信を行う。このときのダイヤル方法としては、電話機４３から手動でダイヤルする、または画像ファイル装置４のキーボード９からのキー入力によりオートダイヤルする、のいずれかの方法を用いることができる。
【００８０】
　一方、受信側の装置（画像ファイル装置４４または汎用パーソナルコンピュータ４６）では、データ通信設定画面３７で［ＴＯ　Ａ　ＴＹＰＥ　ＶＩＡ　ＭＯＤＥＭ］及び［ＲＥＣＥＩＶＥ］を選択する。送信側からのダイヤルへの応答方法としては、送信側が電話機４３からダイヤルする場合に受信側も電話機４３で応答し受信操作を行う手動受信、あるいは送信側がオートダイヤルする場合に受信側を予め受信待機状態にしておきいつでも受信できるようにする自動受信、のいずれかの方法を用いることができる。
【００８１】
　そして、通信成立後、ＲＳ−２３２Ｃインターフェース１３，４５または４７，モデム４１，及び電話回線４２を介して画像データの送信を開始する。この際、画像データを画像ファイル装置４から送信する場合は、Ａタイプ画像フォーマットからＢタイプ画像フォーマットに画像データのフォーマット変換を行ってから送信する。また、画像データを画像ファイル装置４で受信する場合は、Ｂタイプ画像フォーマットの画像データを受信した後、Ｂタイプ画像フォーマットからＡタイプ画像フォーマットに画像データのフォーマットを変換する。
【００８２】
　次に、データ通信設定画面３７において［ＴＯ　Ａ　ＴＹＰＥ　ＤＩＲＥＣＴ］を選択し、送信側と受信側で同一のＡタイプ画像フォーマットを扱う装置間で直接シリアル接続して画像データの通信を行う場合の構成を図１５に示す。
【００８３】
　この場合、適応する画像フォーマットが同一である装置間、例えば同一種類の画像ファイル装置４の間で画像データを送信することとなる。画像ファイル装置４の第１のＲＳ−２３２Ｃインターフェース１３同士を電話回線４２を介さずにＲＳ−２３２Ｃ通信ケーブル４８で直接シリアル接続し、２つのＲＳ−２３２Ｃインターフェース１３間でダイレクトにデータ通信を行う。
【００８４】
　送信側の画像ファイル装置４において、メインメニューでＴＣＭ（テレコミュニケーション）を選択し、データ通信設定画面３７で［ＴＯ　Ａ　ＴＹＰＥ　ＤＩＲＥＣＴ］及び［ＴＲＡＮＳＭＩＴ］を選択した後、ハードディスク７，フロッピーディスクドライブ８，あるいはＳＣＳＩインターフェース１９及びＰＣカードインターフェース２０等を介して接続された外部記録媒体などの記録媒体に格納されている画像データ中の送信したい画像を１枚あるいは複数枚選択する。この場合には、ＲＴＲ機能と同様に画像を検索することができる。
【００８５】
　一方、受信側の画像ファイル装置４では、データ通信設定画面３７で［ＴＯ　Ａ　ＴＹＰＥ　ＤＩＲＥＣＴ］及び［ＲＥＣＥＩＶＥ］を選択し、送信側との通信を成立させる。
【００８６】
　そして、通信成立後、第１のＲＳ−２３２Ｃインターフェース１３，ＲＳ−２３２Ｃ通信ケーブル４８を介して画像データの送信を開始する。
【００８７】
　ここで、画像データ通信を行う際の送信手順を図１６のフローチャートを用いて説明する。
【００８８】
　送信側の装置では、まずステップＳ１で、画像枚数カウンタｉをｉ＝０として初期化する。この画像枚数カウンタｉは送信側の画像ファイル装置や汎用パーソナルコンピュータのＲＡＭ上に記憶され、装置のＣＰＵによってカウンタの増分及び初期化がなされる。
【００８９】
　次に、ステップＳ２で、キーボード９からのキー入力等により送信したい画像が記録されている記録媒体及び該当する送信画像を選択する。そして、送信画像の枚数をＲＡＭ上の変数ｎにセットする。
【００９０】
　そして、ステップＳ３で、電話回線４２を使用して送信するか、電話回線４２を介さずにＲＳ−２３２Ｃ通信ケーブル４８を介して直接送信するか、どちらの通信方法が選択されているかを判断する。
【００９１】
　電話回線４２を使用する通信が選択されている場合は、ステップＳ４でダイヤル方法をセットする。電話機４３から手動でダイヤルする場合は、ステップＳ５で送信相手にダイヤルする。キーボード９からオートダイヤルする場合は、ステップＳ６で電話番号をキー入力する。
【００９２】
　ステップＳ３でＲＳ−２３２Ｃ通信ケーブル４８による直接通信が選択されている場合は、ステップＳ７でＲＳ−２３２Ｃ通信を成立させる。
【００９３】
　このステップＳ５またはステップＳ６またはステップＳ７の時点で受信側との通信が成立していることになる。
【００９４】
　次に、ステップＳ８において、ステップＳ２で選択された送信画像の画像フォーマットがＡタイプか、またはＢタイプかを判別し、Ａタイプの画像である場合はステップＳ９に進み、画像枚数カウンタｉを１増分し、ステップＳ１０でｉ枚目の画像を送信する。ここで、初回はｉ＝１となるため、１枚目の画像データが送信される。
【００９５】
　そして、ステップＳ１１において、ステップＳ２でセットされた画像枚数ｎとカウンタｉとを比較し、ｉがｎ未満であればステップＳ９に戻る。
【００９６】
　再びステップＳ９で、カウンタｉを１増分してｉ＝２とし、ステップＳ１０で２枚目の画像を送信する。
【００９７】
　このように、ステップＳ１１において、ステップＳ２でセットされた画像枚数ｎとカウンタｉとを比較し、ｉがｎ未満であればステップＳ９に戻るという動作をｎ回実行する。これにより、選択された画像が１枚目からｎ枚目まで順に送信される。
【００９８】
　一方、ステップＳ８で送信画像の画像フォーマットがＢタイプである場合は、ステップＳ１２に進み、画像枚数カウンタｉを１増分する。そしてステップＳ１３で、ｉ枚目の画像データのフォーマット変換を行ってＡタイプの画像データとし、ステップＳ１４でｉ枚目の画像を送信する。ここで、初回はｉ＝１となるため、１枚目の画像データがフォーマット変換されて送信される。
【００９９】
　そして、ステップＳ１５において、ステップＳ２でセットされた画像枚数ｎとカウンタｉとを比較し、ｉがｎ未満であればステップＳ１２に戻る。
【０１００】
　再びステップＳ１２で、カウンタｉを１増分してｉ＝２とし、ステップＳ１３で２枚目の画像データのフォーマット変換を行い、ステップＳ１４で２枚目の画像を送信する。
【０１０１】
　このように、ステップＳ１５において、ステップＳ２でセットされた画像枚数ｎとカウンタｉとを比較し、ｉがｎ未満であればステップＳ１２に戻るという動作をｎ回実行する。これにより、選択された画像が１枚目からｎ枚目まで順にフォーマット変換されて送信される。
【０１０２】
　以上の画像データ送信動作を実行し終わると処理を終了する。
【０１０３】
　また、画像データ通信を行う際の受信手順を図１７のフローチャートを用いて説明する。
【０１０４】
　受信側の装置では、まずステップＳ２１で、画像枚数カウンタｉをｉ＝０として初期化する。この画像枚数カウンタｉは受信側の画像ファイル装置や汎用パーソナルコンピュータのＲＡＭ上に記憶され、装置のＣＰＵによってカウンタの増分及び初期化がなされる。
【０１０５】
　次に、ステップＳ２２で、電話回線４２を使用して送信された画像データを受信するか、電話回線４２を介さずにＲＳ−２３２Ｃ通信ケーブル４８を介して直接送信された画像データを受信するか、どちらの通信方法が選択されているかを判断する。
【０１０６】
　電話回線４２を使用する通信が選択されている場合は、ステップＳ２３で受信方法が手動受信か自動受信かをセットする。ここで、送信側の装置が電話機４３から手動でダイヤルする場合は手動受信を、キーボード９からオートダイヤルする場合は自動受信をセットする。そして、手動受信する場合はステップＳ２４で手動着信する。自動受信する場合はステップＳ２５で自動着信待ち状態としておく。
【０１０７】
　ステップＳ２２でＲＳ−２３２Ｃ通信ケーブル４８による直接通信が選択されている場合は、ステップＳ２６でＲＳ−２３２Ｃ通信を成立させる。
【０１０８】
　このステップＳ２４またはステップＳ２５またはステップＳ２６の時点で送信側との通信が成立していることになる。
【０１０９】
　次に、ステップＳ２７において、まず送信される画像の枚数を受信し、ＲＡＭ上の変数ｎにセットする。
【０１１０】
　そして、ステップＳ２８において、送信されてくる画像の画像フォーマットがＡタイプか、またはＢタイプかを判別する。Ａタイプの画像である場合はステップＳ２９に進み、画像枚数カウンタｉを１増分し、ステップＳ３０でｉ枚目の画像を受信する。ここで、初回はｉ＝１となるため、１枚目の画像データが受信される。
【０１１１】
　そして、ステップＳ３１において、ステップＳ２７でセットされた画像枚数ｎとカウンタｉとを比較し、ｉがｎ未満であればステップＳ２９に戻る。
【０１１２】
　再びステップＳ２９で、カウンタｉを１増分してｉ＝２とし、ステップＳ３０で２枚目の画像を受信する。
【０１１３】
　このように、ステップＳ３１において、ステップＳ２７でセットされた画像枚数ｎとカウンタｉとを比較し、ｉがｎ未満であればステップＳ２９に戻るという動作をｎ回実行する。これにより、送られてきた画像が１枚目からｎ枚目まで順に受信される。なお、受信と同時に画像データをハードディスク等に記録することもできる。
【０１１４】
　一方、ステップＳ２８で送信されてくる画像の画像フォーマットがＢタイプである場合は、ステップＳ３２に進み、画像枚数カウンタｉを１増分し、ステップＳ３３でｉ枚目の画像を受信する。そしてステップＳ３４で、ｉ枚目の画像データのフォーマット変換を行ってＡタイプの画像データとする。ここで、初回はｉ＝１となるため、１枚目の画像データが受信されてフォーマット変換される。
【０１１５】
　そして、ステップＳ３５において、ステップＳ２７でセットされた画像枚数ｎとカウンタｉとを比較し、ｉがｎ未満であればステップＳ３２に戻る。
【０１１６】
　再びステップＳ３２で、カウンタｉを１増分してｉ＝２とし、ステップＳ３３で２枚目の画像を受信し、ステップＳ３４で２枚目の画像データのフォーマット変換を行ってＡタイプの画像データとする。
【０１１７】
　このように、ステップＳ３５において、ステップＳ２７でセットされた画像枚数ｎとカウンタｉとを比較し、ｉがｎ未満であればステップＳ３２に戻るという動作をｎ回実行する。これにより、送られてきた画像が１枚目からｎ枚目まで順に受信されてフォーマット変換される。なお、受信と同時に画像データをハードディスク等に記録することもできる。
【０１１８】
　以上の画像データ受信動作を実行し終わると処理を終了する。
【０１１９】
　続いて、適応する画像データのフォーマットが送受する装置間で異なる場合に行う画像フォーマットの変換手順について説明する。
【０１２０】
　まず、Ａタイプ画像フォーマットからＢタイプ画像フォーマットへの画像フォーマット変換の手順を説明する。
【０１２１】
　この画像フォーマット変換は、例えばＡタイプ画像フォーマットを扱う画像ファイル装置４からＢタイプ画像フォーマットを扱う画像ファイル装置４４や汎用パーソナルコンピュータ４６へ画像データを送信する場合に、画像ファイル装置４において行う。この変換処理は、一時記憶手段となるＲＡＭ１２に画像データを一旦記憶し、ＣＰＵ１０の機能の一つとしてソフトウェアプログラムにより構成される画像フォーマット変換手段によって、前記ＲＡＭ１２において実行される。
【０１２２】
　まず、Ａタイプ画像フォーマットの画像ファイルにおけるヘッダ部はＢタイプ画像フォーマットでは不要なので消去する。
【０１２３】
　次に、イメージデータ部におけるピクセル毎のデータの並びを、
　　Ｙ１１，（Ｒ−Ｙ）１ ，Ｙ１２，（Ｂ−Ｙ）１ 
　　Ｙ２１，（Ｒ−Ｙ）２ ，Ｙ２２，（Ｂ−Ｙ）２ 
　　Ｙ３１，（Ｒ−Ｙ）３ ，Ｙ３２，（Ｂ−Ｙ）３ 
　　　　　　　　　　　・
　　　　　　　　　　　・
　　　　　　　　　　　・
のＡタイプ画像フォーマットから、
　　（Ｒ−Ｙ）１ ，Ｙ１１，（Ｂ−Ｙ）１ ，Ｙ１２，
　　（Ｒ−Ｙ）２ ，Ｙ２１，（Ｂ−Ｙ）２ ，Ｙ２２，
　　（Ｒ−Ｙ）３ ，Ｙ３１，（Ｂ−Ｙ）３ ，Ｙ３２，
　　　　　　　　　　　・
　　　　　　　　　　　・
　　　　　　　　　　　・
のように、Ｂタイプ画像フォーマットのイメージデータ部となるよう１ピクセル内の輝度信号と色差信号のデータを並び変える。
【０１２４】
　逆に、Ｂタイプ画像フォーマットからＡタイプ画像フォーマットへの画像フォーマット変換の手順を説明する。
【０１２５】
　この画像フォーマット変換は、例えばＢタイプ画像フォーマットを扱う画像ファイル装置４４や汎用パーソナルコンピュータ４６から送られてきた画像データをＡタイプ画像フォーマットを扱う画像ファイル装置４で受信する場合に、画像ファイル装置４において行う。この変換処理は、一時記憶手段となるＲＡＭ１２に画像データを一旦記憶し、ＣＰＵ１０の機能の一つとしてソフトウェアプログラムにより構成される画像フォーマット変換手段によって、前記ＲＡＭ１２において実行される。
【０１２６】
　まず、Ｂタイプ画像フォーマットの画像ファイルにはヘッダ部が存在しないので、Ａタイプ画像フォーマットのヘッダ部を作成する。
【０１２７】
　ここで、ヘッダ部の作成方法について説明する。ヘッダ部に書き込まれる画像ファイルの属性のうち、画像ファイルのデータ長については、変換元のＢタイプ画像フォーマットのイメージデータ部のバイト数を読み込んでヘッダ部の所定の位置に書き込んでも良いし、または、変換先の画像ファイル装置で特定のデータ長（例えば６４０×４８０ピクセルに相当するバイト数）を指定しても良い。また、ヘッダ部データ長については、ヘッダ部を構成するのに必要なデータ長があるのでこれを書き込むようにする。また、ＮＴＳＣデータかＰＡＬデータかの情報については、変換元の画像データのデータ長で判別しても良いし、変換先の画像ファイル装置がＮＴＳＣ対応の装置であればＮＴＳＣ画像データ、ＰＡＬ対応の装置であればＰＡＬ画像データとするようにしても良い。逆に、変換元の画像ファイル装置の種類に応じてＮＴＳＣ画像データまたはＰＡＬ画像データに設定するようにしても良い。
【０１２８】
　次に、イメージデータ部におけるピクセル毎のデータの並びを、
　　（Ｒ−Ｙ）１ ，Ｙ１１，（Ｂ−Ｙ）１ ，Ｙ１２，
　　（Ｒ−Ｙ）２ ，Ｙ２１，（Ｂ−Ｙ）２ ，Ｙ２２，
　　（Ｒ−Ｙ）３ ，Ｙ３１，（Ｂ−Ｙ）３ ，Ｙ３２，
　　　　　　　　　　　・
　　　　　　　　　　　・
　　　　　　　　　　　・
のＢタイプ画像フォーマットから、
　　Ｙ１１，（Ｒ−Ｙ）１ ，Ｙ１２，（Ｂ−Ｙ）１ 
　　Ｙ２１，（Ｒ−Ｙ）２ ，Ｙ２２，（Ｂ−Ｙ）２ 
　　Ｙ３１，（Ｒ−Ｙ）３ ，Ｙ３２，（Ｂ−Ｙ）３ 
　　　　　　　　　　　・
　　　　　　　　　　　・
　　　　　　　　　　　・
のように、Ａタイプ画像フォーマットのイメージデータ部となるよう１ピクセル内の輝度信号と色差信号のデータを並び変える。
【０１２９】
　このようにＴＣＭ機能において上述のようなフォーマット変換を行う画像フォーマット変換手段を設けることにより、画像ファイル装置４と、画像ファイル装置４で扱うものとは異なるフォーマットの画像データを扱う別の画像ファイル装置４４及び汎用パーソナルコンピュータ４６との間でのデータ通信において、画像ファイル装置４で撮影、記録した画像データを前記画像フォーマット変換手順でフォーマット変換を行った後、画像ファイル装置４４及び汎用パーソナルコンピュータ４６に対して通信することによって、画像ファイル装置４とは異なる構成の画像ファイル装置４４及び汎用パーソナルコンピュータ４６においても画像データを観察、記録することができる。
【０１３０】
　逆に、画像ファイル装置４とは異なる構成の画像ファイル装置４４及び汎用パーソナルコンピュータ４６で撮影、記録した画像データを画像ファイル装置４に通信した後、画像ファイル装置４において前記画像フォーマット変換手順でフォーマット変換を行うことによって、異なる画像フォーマットを扱う画像ファイル装置４４や汎用パーソナルコンピュータ４６で撮影、記録した画像データを画像ファイル装置４においても観察、記録することができる。
【０１３１】
　同様にＣＰＹ機能においても、前記画像フォーマット変換手段を設けることにより、画像ファイル装置４と、画像ファイル装置４で扱うものとは異なるフォーマットの画像データを扱う別の画像ファイル装置４４及び汎用パーソナルコンピュータ４６との間において、画像ファイル装置４で撮影、記録した画像データを前記画像フォーマット変換手順でフォーマット変換を行った後、フロッピーディスクドライブ８に挿入されたフロッピーディスク、ＳＣＳＩインターフェース１９を介して接続された光磁気ディスク、あるいはＰＣカードインターフェース２０を介して接続されたメモリカード等の外部記録媒体に画像フォーマット変換後の画像データをコピーすることによって、異なる構成の画像ファイル装置４４及び汎用パーソナルコンピュータ４６においても前記外部記録媒体から画像データを読み出して観察、記録することができる。
【０１３２】
　逆に、画像ファイル装置４とは異なる構成の画像ファイル装置４４及び汎用パーソナルコンピュータ４６で撮影、記録した画像データを、画像ファイル装置４において前記画像フォーマット変換手順でフォーマット変換を行うことによって、異なる画像フォーマットを扱う画像ファイル装置４４や汎用パーソナルコンピュータ４６で撮影、記録した画像データを画像ファイル装置４において外部記録媒体から読み出して観察、記録することができる。
【０１３３】
　このとき、Ａタイプ画像フォーマットを扱う画像ファイル装置４から、画像ファイル装置４とは異なる構成の画像ファイル装置４４及び汎用パーソナルコンピュータ４６に、画像ファイルをフォーマット変換を行ってコピーする場合、外部記録媒体を経由してコピーが行われる。ここで、例えばコピー先の画像ファイル装置４４が画像を管理するテーブルを持っており、コピー元の画像ファイル装置４が予め前記画像ファイル装置４４の画像管理テーブルのフォーマットを認識可能な場合には、画像ファイル装置４はコピー用に選択された画像を管理する画像ファイル装置４４用のテーブルを作成し、画像データと共に外部記録媒体にコピーできる。
【０１３４】
　また、汎用パーソナルコンピュータ４６から画像ファイル装置４に画像ファイルをコピーする場合で、画像管理テーブルを用いずにコピーを行う場合は、外部記録媒体を介してコピーしようとする画像ファイルと同じファイル名の画像ファイルがコピー先の画像ファイル装置４に存在するときは、コピーするファイル名の一部を連番に変更して画像ファイル装置４にコピーすることで、ファイル名が重複しないようにできる。例えば、汎用パーソナルコンピュータ４６からコピーしようとするファイル名が、“Ｉ０００００１２．ＴＧＡ”であるとし、同じファイル名の画像ファイルが画像ファイル装置４に存在する場合には、“Ｉ０１０００１２．ＴＧＡ”のようにファイル名の一部を連番に変更する。
【０１３５】
　以上説明したように、本実施例によれば、１ピクセルを構成する輝度信号及び色差信号のピクセル内での配置が異なるフォーマットの画像データを扱う画像ファイル装置や汎用パーソナルコンピュータに対しても、同じフォーマットの画像データを扱う装置を新たに用意したり装置構成を変更する必要がなく、コストや手間をかけずに観察、記録可能な状態で画像データを供給することができる。
【０１３６】
　なお、以上説明した画像ファイル装置は、１の画像記録手段を備え、これについての画像入出力信号をフォーマット変換するように構成したものである。しかし、１の画像をＡ，Ｂ両タイプのフォーマットにて二重に記録するように、Ａタイプ，Ｂタイプの各フォーマット記録専用の画像記録手段を別々に設けるようにしても良い。かかる構成による画像ファイル装置によれば、画像信号を他の機器に出力するときに出力先の装置に適応したフォーマットの信号を読み出して供給することでフォーマットを変換する必要がなくなるので、画像信号の転送時間を短縮することができる。
【０１３７】
　［付記］
（１）　色差信号を輝度信号の１／２の周波数でサンプリングして、カラー画像の１ピクセルを１の輝度信号と１の色差信号の２つの画像信号を順序づけて構成する画像フォーマットにより、前記カラー画像を記録し出力する画像記録手段と、
　この画像記録手段についてのカラー画像入力または出力信号を受けて、一旦該カラー画像入出力信号を記憶する一時記憶手段と、
　前記一時記憶手段に記憶された前記カラー画像入出力信号の１ピクセル内の輝度信号と色差信号の順序を入れ替えて、前記画像記録手段についてのカラー画像入出力信号をフォーマット変換する画像フォーマット変換手段と、
を有することを特徴とする画像ファイル装置。
【０１３８】
（２）　前記画像記録手段の画像フォーマットは、このフォーマットの形式を記録するヘッダ部を有し、
　前記画像フォーマット変換手段は、前記ヘッダ部を生成して前記カラー画像入出力信号にこのヘッダ部を追記するヘッダ生成手段と、前記カラー画像入出力信号から前記ヘッダ部を削除するヘッダ削除手段とを有することを特徴とする付記１に記載の画像ファイル装置。
【０１３９】
（３）　色差信号を輝度信号の１／２の周波数でサンプリングして、カラー画像の１ピクセルを１の輝度信号と１の色差信号の２つの画像信号を順序づけて構成する第１の画像フォーマットにより、前記カラー画像を記録する第１の画像記録手段と、
　この第１の画像フォーマットに対して、前記カラー画像の１ピクセルを輝度信号と色差信号について逆の順序で構成する第２の画像フォーマットにより、前記カラー画像を記録する第２の画像記録手段と、
を有することを特徴とする画像ファイル装置。
【図面の簡単な説明】
【０１４０】
【図１】本発明の一実施例に係る画像ファイル装置を含む内視鏡装置の外観構成を示す斜視図
【図２】画像ファイル装置の内部構成を示すブロック図
【図３】画像ファイル装置においてソフトウエアプログラムにより実行される各種機能を示す機能ブロック図
【図４】ＬＣＤモニタに表示されるメインメニュー画面を示す画面構成図
【図５】ＴＸＴ機能選択時にＬＣＤモニタに表示されるテキスト入力画面を示す画面構成図
【図６】ＳＵＰ機能選択時にＬＣＤモニタに表示されるセットアップ画面を示す画面構成図
【図７】ＴＣＭ機能選択時にＬＣＤモニタに表示されるデータ通信設定画面を示す画面構成図
【図８】ＤＥＬ機能選択時にＬＣＤモニタに表示されるコマンド実行画面を示す画面構成図
【図９】ＥＸＴ機能選択時にＬＣＤモニタに表示される外部プログラム実行画面を示す画面構成図
【図１０】図２の画像ファイル装置において扱われる画像フォーマットの一例としてのＡタイプ画像フォーマットを示す説明図
【図１１】Ａタイプ画像フォーマットとは異なる画像フォーマットであるＢタイプ画像フォーマットを示す説明図
【図１２】送信側と受信側で同一のＡタイプ画像フォーマットを扱う画像ファイル装置間で電話回線を介して画像データの通信を行う場合の構成を示すブロック図
【図１３】Ａタイプ画像フォーマットを扱う画像ファイル装置と画像フォーマットが異なるＢタイプ画像フォーマットを扱う画像ファイル装置との間で電話回線を介して画像データの通信を行う場合の構成を示すブロック図
【図１４】Ａタイプ画像フォーマットを扱う画像ファイル装置と画像フォーマットが異なるＢタイプ画像フォーマットを扱う汎用パーソナルコンピュータとの間で電話回線を介して画像データの通信を行う場合の構成を示すブロック図
【図１５】送信側と受信側で同一のＡタイプ画像フォーマットを扱う画像ファイル装置間で直接シリアル接続して画像データの通信を行う場合の構成を示すブロック図
【図１６】画像データ通信を行う際の送信手順を示すフローチャート
【図１７】画像データ通信を行う際の受信手順を示すフローチャート
【符号の説明】
【０１４１】
　２…電子内視鏡
　４，４４…画像ファイル装置
　５…カメラコントロールユニット（ＣＣＵ）
　６…ＬＣＤモニタ
　７…ハードディスク
　８…フロッピーディスクドライブ
　９…キーボード
　１０…ＣＰＵ
　１１…ＲＯＭ
　１２…ＲＡＭ
　１３，１４，４５，４７…ＲＳ−２３２Ｃインターフェース
　１７…ビデオ信号処理部
　１８…グラフィック信号処理部
　１９…ＳＣＳＩインターフェース
　２０…ＰＣカードインターフェース
　２１…システムバス
　２３…システム制御部
　４１…モデム
　４２…電話回線
　４６…汎用パーソナルコンピュータ
　４８…ＲＳ−２３２Ｃ通信ケーブル
　代理人　　弁理士　　伊藤　進
【図１】
2004121855.tif 000003
【図２】
2004121855.tif 000004
【図３】
2004121855.tif 000005
【図４】
2004121855.tif 000006
【図５】
2004121855.tif 000007
【図６】
2004121855.tif 000008
【図７】
2004121855.tif 000009
【図８】
2004121855.tif 000010
【図９】
2004121855.tif 000011
【図１０】
2004121855.tif 000012
【図１１】
2004121855.tif 000013
【図１２】
2004121855.tif 000014
【図１３】
2004121855.tif 000015
【図１４】
2004121855.tif 000016
【図１５】
2004121855.tif 000017
【図１６】
2004121855.tif 000018
【図１７】
2004121855.tif 000019